(57)【要約】【課題】従来の音楽コンテンツの著作権保護においては、暗号技術を用いて著作権保護を図るため、消費者は音楽コンテンツを試聴することができないという問題があった。【解決手段】著作物に雑音を付加することによって、消費者に対する著作物の試聴を許可しながら、高音質の音楽コンテンツの著作権を守る。そのため、著作権者の対象とする音楽コンテンツの著作権を守りつつ、消費者は音楽コンテンツを試聴する利便性を提供することができる。【選択図】  図１
2004151512.tif 000002
【特許請求の範囲】
【請求項１】
入力信号に信号を付加する信号付加装置であって、
前記入力信号に前記信号が付加された信号を所定の時間だけ保持しておく遅延手段と、
前記遅延手段の出力信号から、所定の特徴量を抽出する特徴量抽出手段と、
前記特徴量抽出手段の出力信号と、鍵情報をもとに雑音信号を発生する雑音信号源と、
前記雑音信号源の出力信号である雑音信号を定数倍する増幅器と、
前記増幅器の出力信号と、前記入力信号を加算し出力する加算器と、
を具備することを特徴とする信号付加装置。
【請求項２】
入力信号から信号を除去する信号除去装置であって、
前記入力信号を所定の時間だけ保持しておく遅延手段と、
前記遅延手段の出力から、所定の特徴量を抽出する特徴量抽出手段と、
前記特徴量抽出手段の出力と、鍵情報をもとに雑音信号を発生する雑音信号源と、
前記雑音信号源の出力信号を定数倍し、反転する増幅器と、
前記増幅器の出力と、前記入力信号を加算し出力する加算器と、
を具備することを特徴とする信号除去装置。
【請求項３】
入力信号に信号を付加する信号付加装置であって、
前記入力信号に前記信号が付加された信号を所定の時間だけ保持しておく遅延手段と、
前記遅延手段の出力信号から、所定の特徴量を抽出する特徴量抽出手段と、
前記特徴量抽出手段の出力信号と、鍵情報をもとに雑音信号を発生する雑音信号源と、
前記入力信号から増幅率を計算する増幅率計算手段と、
前記雑音信号源の出力信号である雑音信号を前記増幅率計算手段の出力にしたがって増幅する増幅器と、
前記増幅器の出力信号と、前記入力信号を加算する第１の加算器と、
前記第１の加算器の出力に対して、前記増幅率を電子透かしとして生成する電子透かし生成手段と、
前記電子透かし生成手段の出力と前記第１の加算器の出力を加算する第２の加算器と、
を具備することを特徴とする信号付加装置。
【請求項４】
入力信号から信号を除去する信号除去装置であって、
前記入力信号を所定の時間だけ保持する遅延手段と、
前記遅延手段の出力から、所定の特徴量を抽出する特徴量抽出手段と、
前記遅延手段の出力から、電子透かしとして埋め込まれている増幅率を検出する電子透かし読み出し手段と、
前記特徴量抽出手段の出力信号と、鍵情報をもとに雑音信号を発生する雑音信号源と、
前記雑音信号源の出力信号である雑音信号を前記電子透かし読み出し手段によって検出された増幅率にしたがって増幅し、反転する増幅器と、
前記増幅器の出力と、前記入力信号を加算する加算器と、
を具備することを特徴とする信号除去装置。
【請求項５】
入力信号に信号を付加する信号付加装置であって、
時間とともに変化するパラメータを生成するパラメータ生成手段と、
前記パラメータ生成手段から出力されるｎ番目のパラメータと、鍵情報をもとに雑音信号を発生する雑音信号源と、
前記雑音信号源の出力信号である雑音信号を定数倍する増幅器と、
前記増幅器の出力信号と、前記入力信号を加算する第１の加算器と、
前記パラメータ生成手段から出力される（ｎ＋１）番目のパラメータから電子透かし信号を生成する電子透かし生成手段と、
前記第１の加算器の出力に対して、前記電子透かし信号を加算する第２の加算器と、
を具備することを特徴とする信号付加装置。
【請求項６】
入力信号から信号を除去する信号除去装置であって、
前記入力信号を所定の時間だけ保持する遅延手段と、
前記遅延手段の出力から、電子透かし信号を検出する電子透かし読み出し手段と、
前記電子透かし読み出し手段から読み出されたパラメータと、鍵情報から雑音信号を発生する雑音信号源と、
前記雑音信号源の出力信号を定数倍し、反転する増幅器と、
前記増幅器の出力と、前記入力信号を加算する加算器と、
を具備することを特徴とする信号除去装置。
【請求項７】
入力信号に信号を付加する信号付加装置であって、
時間ともに変化するパラメータを生成するパラメータ生成手段と、
前記パラメータ生成手段から出力されるｎ番目のパラメータと、鍵情報をもとに雑音信号を発生する雑音信号源と、
前記第１の入力信号から増幅率を計算する増幅率計算手段と、
前記雑音信号源の出力信号である雑音信号を前記増幅率計算手段の出力にしたがって増幅する増幅器と、
前記増幅器の出力信号と、前記入力信号を加算する第１の加算器と、
前記入力信号に信号を付加する信号付加装置であって、加算器の出力に対して、
前記増幅率を電子透かし信号として生成する第１の電子透かし生成手段と、
前記電子透かし生成手段の出力と、前記第１の加算器の出力を加算する第２の加算器と、
前記第２の加算器の出力から前記第１のパラメータ生成手段から出力される（ｎ＋１）番目のパラメータを電子透かし信号として生成する第２の電子透かし生成手段と、
前記第２の加算器の出力と、前記第２の電子透かし生成装置の出力を加算する第３の加算器と、
を具備することを特徴とする信号付加装置。
【請求項８】
入力信号から信号を除去する信号除去装置であって、
前記入力信号を所定の時間だけ保持する遅延手段と、
前記遅延手段の出力から、電子透かしとして付加されているｎ番目のパラメータを検出する第１の電子透かし読み出し手段と、
前記第１の遅延手段の出力から、電子透かしとして付加されている増幅率を検出する第２の電子透かし読み出し手段と、
前記第１の電子透かし読み出し手段から読み出された前記ｎ番目のパラメータと、鍵情報から雑音信号を発生する雑音信号源と、
前記雑音信号源の出力信号を前記増幅率にしたがって増幅し、反転する増幅器と、
前記増幅器の出力と、前記入力信号を加算する加算器と、
を具備することを特徴とする信号除去装置。
【発明の詳細な説明】
【０００１】
【発明の属する技術分野】
本発明は、音楽や映像などの信号に対して、元の信号に対して雑音などを付加し、あるいは付加された雑音を除去する技術に関するものである。
【０００２】
【従来の技術】
ＭＰ３やＡＡＣなどの圧縮技術と、インターネットの回線の高速化により、音楽コンテンツの電子配信が一般的になりつつある。
【０００３】
従来の電子配信を図１０を用いて説明する。暗号化装置１００１は、音楽信号を入力とし、第１の鍵情報を用いて暗号化手段１００２で暗号化し、暗号化出力として出力する。次に図にはないが、この暗号化出力が、インターネット経由などで消費者に配信される。次にこの暗号化出力を受取った消費者は、暗号解除装置１００３に暗号化出力を入力し、また暗号解除手段１００４に課金処理などを行い購入した第２の鍵情報を入力することで、暗号が解かれた音楽信号を得ることができ、音楽を視聴することができる。
【０００４】
また、前述の例では消費者は音楽コンテンツの購入前に試聴することができないが、消費者が購入する前に音楽コンテンツを試聴できる従来例としては、ＡＴＲＡＣなどの高能率符号化においてスケールファクタを変更することによって、音楽データをフェードイン、あるいはフェードアウトさせることで音質の制限を行い、試聴を許しているものもある（例えば特許文献１参照。）。
【０００５】
【特許文献１】
特開２００１−１６０２６１号公報（第５図）
【０００６】
【発明が解決しようとする課題】
ここで、一般に電子配信におけるサービスにおいて配信される音楽コンテンツは、前述のように著作権保護のために強固に暗号化されているため、消費者は第２鍵情報の購入前に試聴できないという課題があった。
【０００７】
【課題を解決するための手段】
上記問題を解決するために本発明に係る信号付加装置は、入力信号に信号を付加する信号付加装置であって、前記入力信号に前記信号が付加された信号を所定の時間だけ保持しておく遅延手段と、前記遅延手段の出力信号から、所定の特徴量を抽出する特徴量抽出手段と、前記特徴量抽出手段の出力信号と、鍵情報をもとに雑音信号を発生する雑音信号源と、前記雑音信号源の出力信号である雑音信号を定数倍する増幅器と、前記増幅器の出力信号と、前記入力信号を加算し出力する加算器と、を具備することを特徴とする。
【０００８】
上記問題を解決するために本発明に係る信号除去装置は、入力信号から信号を除去する信号除去装置であって、前記入力信号を所定の時間だけ保持しておく遅延手段と、前記遅延手段の出力から、所定の特徴量を抽出する特徴量抽出手段と、前記特徴量抽出手段の出力と、鍵情報をもとに雑音信号を発生する雑音信号源と、前記雑音信号源の出力信号を定数倍し、反転する増幅器と、前記増幅器の出力と、前記入力信号を加算し出力する加算器と、を具備することを特徴とする。
【０００９】
上記問題を解決するために本発明に係る信号付加装置は、入力信号に信号を付加する信号付加装置であって、前記入力信号に前記信号が付加された信号を所定の時間だけ保持しておく遅延手段と、前記遅延手段の出力信号から、所定の特徴量を抽出する特徴量抽出手段と、前記特徴量抽出手段の出力信号と、鍵情報をもとに雑音信号を発生する雑音信号源と、前記入力信号から増幅率を計算する増幅率計算手段と、前記雑音信号源の出力信号である雑音信号を前記増幅率計算手段の出力にしたがって増幅する増幅器と、前記増幅器の出力信号と、前記入力信号を加算する第１の加算器と、前記第１の加算器の出力に対して、前記増幅率を電子透かしとして生成する電子透かし生成手段と、前記電子透かし生成手段の出力と前記第１の加算器の出力を加算する第２の加算器と、を具備することを特徴とする。
【００１０】
上記問題を解決するために本発明に係る信号除去装置は、入力信号から信号を除去する信号除去装置であって、前記入力信号を所定の時間だけ保持する遅延手段と、前記遅延手段の出力から、所定の特徴量を抽出する特徴量抽出手段と、前記遅延手段の出力から、電子透かしとして埋め込まれている増幅率を検出する電子透かし読み出し手段と、前記特徴量抽出手段の出力信号と、鍵情報をもとに雑音信号を発生する雑音信号源と、前記雑音信号源の出力信号である雑音信号を前記電子透かし読み出し手段によって検出された増幅率にしたがって増幅し、反転する増幅器と、前記増幅器の出力と、前記入力信号を加算する加算器と、を具備することを特徴とする。
【００１１】
本発明に係る信号付加装置は入力信号に信号を付加する信号付加装置であって、時間とともに変化するパラメータを生成するパラメータ生成手段と、前記パラメータ生成手段から出力されるｎ番目のパラメータと、鍵情報をもとに雑音信号を発生する雑音信号源と、前記雑音信号源の出力信号である雑音信号を定数倍する増幅器と、前記増幅器の出力信号と、前記入力信号を加算する第１の加算器と、前記パラメータ生成手段から出力される（ｎ＋１）番目のパラメータから電子透かし信号を生成する電子透かし生成手段と、前記第１の加算器の出力に対して、前記電子透かし信号を加算する第２の加算器と、を具備することを特徴とする。
【００１２】
上記問題を解決するために本発明に係る信号除去装置は、入力信号から信号を除去する信号除去装置であって、前記入力信号を所定の時間だけ保持する遅延手段と、前記遅延手段の出力から、電子透かし信号を検出する電子透かし読み出し手段と、前記電子透かし読み出し手段から読み出されたパラメータと、鍵情報から雑音信号を発生する雑音信号源と、前記雑音信号源の出力信号を定数倍し、反転する増幅器と、前記増幅器の出力と、前記入力信号を加算する加算器と、を具備することを特徴とする。
【００１３】
上記問題を解決するために本発明に係る信号付加装置は入力信号に信号を付加する信号付加装置であって、時間ともに変化するパラメータを生成するパラメータ生成手段と、前記パラメータ生成手段から出力されるｎ番目のパラメータと、鍵情報をもとに雑音信号を発生する雑音信号源と、前記第１の入力信号から増幅率を計算する増幅率計算手段と、前記雑音信号源の出力信号である雑音信号を前記増幅率計算手段の出力にしたがって増幅する増幅器と、前記増幅器の出力信号と、前記入力信号を加算する第１の加算器と、前記入力信号に信号を付加する信号付加装置であって、加算器の出力に対して、前記増幅率を電子透かし信号として生成する第１の電子透かし生成手段と、前記電子透かし生成手段の出力と、前記第１の加算器の出力を加算する第２の加算器と、前記第２の加算器の出力から前記第１のパラメータ生成手段から出力される（ｎ＋１）番目のパラメータを電子透かし信号として生成する第２の電子透かし生成手段と、前記第２の加算器の出力と、前記第２の電子透かし生成装置の出力を加算する第３の加算器と、を具備することを特徴とする。
【００１４】
上記問題を解決するために本発明に係る信号除去装置は、入力信号から信号を除去する信号除去装置であって、前記入力信号を所定の時間だけ保持する遅延手段と、前記遅延手段の出力から、電子透かしとして付加されているｎ番目のパラメータを検出する第１の電子透かし読み出し手段と、前記第１の遅延手段の出力から、電子透かしとして付加されている増幅率を検出する第２の電子透かし読み出し手段と、前記第１の電子透かし読み出し手段から読み出された前記ｎ番目のパラメータと、鍵情報から雑音信号を発生する雑音信号源と、前記雑音信号源の出力信号を前記増幅率にしたがって増幅し、反転する増幅器と、前記増幅器の出力と、前記入力信号を加算する加算器と、を具備することを特徴とする。
【００１５】
【発明の実施の形態】
（実施の形態１）
実施の形態１を図１、図２および図９を用いて説明する。図９は、実施の形態１、実施の形態２、実施の形態３、および実施の形態４で使用する入力信号、および出力信号の形式を説明するために用いる。図９において入力信号９０１は、時間軸方向に所定の長さごとにフレームとして分割され、それぞれＩＮ（０）、ＩＮ（１）、・・・ＩＮ（ｎ）（ｎ：整数）とする。また、図９において出力信号９０２は、前記所定の長さごとにフレームとして分割され、それぞれＯＵＴ（０）、ＯＵＴ（１）、・・・ＯＵＴ（ｎ）とする。
【００１６】
図１は、実施の形態１における信号付加装置である。信号付加装置１０１は、前記ＩＮ（ｎ）を入力とし、前記ＯＵＴ（ｎ）を出力とする装置であり、ＯＵＴ（ｎ）を所定時間保持する遅延手段１０２と、遅延手段１０２の出力であるＯＵＴ（ｎ−１）を入力とし、所定の演算を行った後、特徴量を出力する特徴量抽出手段１０３と、特徴量抽出手段１０３で抽出された特徴量と、第１の鍵情報を入力とし、雑音信号を発生する第１の雑音信号源１０４と、雑音信号を定数倍する第１の増幅器１０５と、前記第１の増幅器１０５の出力と、前記ＩＮ（ｎ）を加算し、ＯＵＴ（ｎ）として出力する加算器１０６を具備する。
【００１７】
図２は、実施の形態１における信号除去装置２０１である。信号除去手段２０１は、ＯＵＴ（ｎ）を入力とし、ＩＮ（ｎ）を出力とする装置であって、ＯＵＴ（ｎ）を所定時間保持する遅延手段２０２と、遅延手段２０２の出力であるＯＵＴ（ｎ−１）を入力とし、所定の演算を行った後、特徴量を出力する特徴量抽出手段２０３と、特徴量抽出手段２０３で抽出された特徴量と、第２の鍵情報を入力とし、雑音信号を発生する雑音信号源２０４と、雑音信号を前記定数倍して反転する増幅器２０５と、増幅器２０５の出力と、ＯＵＴ（ｎ）を加算してＩＮ（ｎ）として出力する第２の加算器２０６からなる。
【００１８】
よって、雑音信号源１０４が出力する雑音信号と、雑音信号源２０４が出力する雑音信号が同一であれば、ＩＮ（ｎ）に加算される雑音信号と、ＯＵＴ（ｎ）に加算される雑音信号は振幅が同じで、位相が反転した信号となるので、加算器２０６からの出力は雑音が除去された信号が出力される。
【００１９】
ここで、特徴量とは、例えば周波数スペクトルや、ケプストラムなどであり、一般にこのような特徴量は、入力音楽信号のフレーム毎に変化する。このように各フレームごとに変化する特徴量を用いて雑音を発生させるため、第１の鍵情報が各フレーム毎に不変の場合においても、第１の雑音信号源１０４の出力はフレーム毎に変化するため、より解読が難しい雑音を発生させ、雑音の意図的な除去を防ぐことができる。
【００２０】
（実施の形態２）
実施の形態２は、実施の形態１に類似しているが、実施の形態１が増幅器１０５、および増幅器２０５は、入力信号を定数倍しかできないのに対して、実施の形態２における増幅器３０６、および増幅器４０５は、入力信号を何倍に増幅するかを外部から入力される増幅率によって可変できる点が異なる。
【００２１】
実施の形態２を、図３および図４を用いて説明する。信号付加装置３０１は、実施の形態１と同様にＩＮ（ｎ）を入力とし、所定の信号を付加した後、ＯＵＴ（ｎ）として出力とする装置であり、ＯＵＴ（ｎ）を所定時間保持する第１の遅延手段３０２と、第１の遅延手段３０２の出力であるＯＵＴ（ｎ−１）を入力とし、所定の演算を行った後、特徴量を出力する第１の特徴量抽出手段３０３と、第１の特徴量抽出手段３０３で抽出された特徴量と、第１の鍵情報を入力とし、雑音信号を発生する第１の雑音信号源３０４と、ＩＮ（ｎ）を入力とし、ＩＮ（ｎ）に対して付加する雑音の増幅率を決定する増幅率計算手段３０５と、増幅率計算手段３０５の出力である増幅率によって、雑音信号を増幅する第１の増幅器３０６と、第１の増幅器３０６の出力と、ＩＮ（ｎ）とを加算する第１の加算器３０７と、第１の加算器３０７の出力から、増幅率計算手段３０５の出力である増幅率を電子透かし信号として生成する電子透かし生成手段３０８と、第１の加算器の出力と、電子透かし信号を加算した信号をＯＵＴ（ｎ）として出力する第２の加算器３０９を具備する。
【００２２】
次に図４おいて、信号除去装置４０１は、信号付加装置３０１によって付加された雑音信号を除去する装置であって、ＯＵＴ（ｎ）を所定時間保持する第２の遅延手段４０２と、第２の遅延手段４０２の出力であるＯＵＴ（ｎ−１）を入力とし、所定の演算を行った後、特徴量を出力する第２の特徴量抽出手段４０３と、第２の特徴量抽出手段４０３で抽出された特徴量と、第２の鍵情報を入力とし、雑音信号を発生する第２の雑音信号源４０４と、ＯＵＴ（ｎ−１）から電子透かし生成手段３０８によって生成され、第２の加算器３０９で加算された電子透かし信号を検出して、増幅率を取り出す電子透かし読み出し手段４０７と、第２の雑音信号源４０４から出力された雑音信号を、電子透かし読み出し手段４０７によって読み出された増幅率だけ増幅し反転する第２の増幅器４０５と、第２の増幅率の出力とＯＵＴ（ｎ）を加算して出力する第３の加算器４０６を具備する。
【００２３】
したがって、ＩＮ（ｎ）で付加される雑音信号をＳ、ＩＮ（ｎ）に対して埋め込む電子透かし信号をＷとすると、前記ＯＵＴ（ｎ）は（ＩＮ（ｎ）＋Ｓ＋Ｗ）となるので、第２の雑音信号源４０４が出力する信号が雑音信号源３０４で出力する雑音信号Ｓと同じであれば、信号除去装置４０１の出力は、（ＩＮ（ｎ）＋Ｗ）となり、信号付加装置３０１で加算された雑音信号が除去された信号となる。
【００２４】
ここで、電子透かし生成手段３０８において生成される電子透かしの振幅レベルが人間の聴覚にほとんど聞こえないほど小さなレベルであれば、第３の加算器４０６から出力される信号は（ＩＮ（ｎ）＋Ｗ）は、ほとんどＩＮ（ｎ）と等価となり、入力信号の価値が損なわれることはない。
【００２５】
また、増幅率計算手段３０５は、具体的にはＩＮ（ｎ）の平均音圧レベルに対して所定のレベルだけ小さくなるような増幅率を出力する装置であり、例えばＩＮ（ｎ）の平均音圧レベルが−１５ｄｂであるときに、雑音信号のレベルが−２０ｄｂとなるような増幅率を計算する装置である。
【００２６】
なお、信号付加装置３０１においては、増幅率を増幅率計算手段３０５によって行ったが、例えば電子配信などで配信される音楽コンテンツに対して、曲のサビの部分に対しては増幅率を小さくし、その他の部分の増幅率を大きくするような調整を行えば、エンドユーザーは第２の鍵情報を買う前は、サビの部分だけがノイズが小さく、サビの部分以外の部分では雑音が大きい状態での試聴が可能となる。
【００２７】
また、エンドユーザーは、第２の鍵情報を購入することによって、音楽コンテンツ全体にわたって雑音が消去された高音質な音楽コンテンツを聴くことが可能となり、コンテンツプロバイダは、高音質コンテンツを保護し課金することが可能となる。
【００２８】
（実施の形態３）
実施の形態３を図５および図６を用いて説明する。実施の形態１と同様に第１の入力信号はフレーム単位で処理され、ｎを自然数とすると、ｎ番目のフレームはＩＮ（ｎ）となり、同様にｎ番目の出力はＯＵＴ（ｎ）である。図５に示す信号付加装置５０１は、ＩＮ（ｎ）を入力とし、ＯＵＴ（ｎ）を出力とする装置であり、ｎ番目のフレームが入力されたときに、ｎ番目のパラメータＫＥＹ（ｎ）と、（ｎ＋１）番目のパラメータＫＥＹ（ｎ＋１）を出力するパラメータ生成手段５０２と、ＫＥＹ（ｎ）と、第１の鍵情報を入力とし、雑音信号を発生する第１の雑音信号源５０３と、第１の雑音信号源５０３から出力された雑音信号を定数倍する第１の増幅器５０４と、第１の増幅器５０４からの出力と、入力ＩＮ（ｎ）を加算する第１の加算器５０５と、加算器５０５からの出力から、パラメータＫＥＹ（ｎ＋１）を電子透かし信号として生成する電子透かし生成手段５０６と、加算器５０５の出力と、電子透かし信号を加算した信号をＯＵＴ（ｎ）として出力する第２の加算器５０７を具備する。
【００２９】
次に図６おいて、信号除去装置６０１は、信号付加装置５０１によって付加された雑音信号を除去する装置であって、ＯＵＴ（ｎ）を入力とし、雑音信号を除去して出力する装置である。信号除去装置６０１は、ＯＵＴ（ｎ）を所定時間保持する第２の遅延手段６０２と、第２の遅延手段６０２の出力であるＯＵＴ（ｎ−１）から、電子透かし信号として埋め込まれているＫＥＹ（ｎ）を検出する電子透かし読み出し手段６０３と、電子透かし読み出し手段によって読み出されたＫＥＹ（ｎ−１）と、第２の鍵情報を入力とし、雑音信号を発生する第２の雑音信号源６０４と、雑音信号源６０４によって生成された雑音を定数倍して、反転する第２の増幅器６０５と、第２の増幅器６０５の出力と、ＯＵＴ（ｎ）を加算して出力する第３の加算器６０６を具備する。
【００３０】
よって、実施の形態２と同様に第３の加算器６０６の出力信号は、ＩＮ（ｎ）に電子透かし生成手段５０６によって生成された電子透かし信号が加算されたものが出力されるが、電子透かし生成手段５０６において生成される電子透かしの振幅レベルが人間の聴覚にほとんど聞こえないほど小さなレベルであれば、第３の加算器から出力される信号はＩＮ（ｎ）＋微小信号となり、雑音信号が除去された信号となる。
【００３１】
本実施の形態により、各フレームごとに変化するパラメータＫＥＹ（ｎ）を使用することで、各フレームに対して付加される雑音信号がフレームごとに変化するため、付加されている雑音信号の不正な除去を防止することができる。
【００３２】
（実施の形態４）
実施の形態４は、実施の形態３に類似しているが、実施の形態３において、前記第１の増幅器５０４、および前記第２の増幅器６０５は、入力信号を定数倍しかできないのに対して、第４の実施形態における第１の増幅器７０４、および第２の増幅器８０５は、入力信号を何倍に増幅するかを外部から入力される増幅率によって可変できる点が異なる。
【００３３】
実施の形態４を、図７および図８を用いて説明する。信号付加装置７０１は、ＩＮ（ｎ）を入力とし、ＯＵＴ（ｎ）を出力とする装置であり、ｎ番目のフレームが入力されたときに、ｎ番目のパラメータＫＥＹ（ｎ）と、（ｎ＋１）番目のパラメータＫＥＹ（ｎ＋１）を出力するパラメータ生成手段７０２と、ｎ番目のパラメータＫＥＹ（ｎ）と、第１の鍵情報をもとに雑音信号を発生する第１の雑音信号源７０３と、ＩＮ（ｎ）を入力とし、ＩＮ（ｎ）に対して付加する雑音の増幅率を決定する増幅率計算手段７０８と、増幅率計算手段７０８の出力である増幅率によって、雑音信号を増幅する第１の増幅器７０４と、第１の増幅器７０４からの出力と、入力ＩＮ（ｎ）を加算する第１の加算器７０５と、第１の加算器７０５からの出力から、増幅率を電子透かし信号として生成する第２の電子透かし生成手段７０９と、加算器７０５の出力と、第２の電子透かし生成手段７０９の出力を加算した信号を出力する第３の加算器７１０と、加算器７０５からの出力から、パラメータＫＥＹ（ｎ＋１）を電子透かし信号として生成する第１の電子透かし生成手段７０６と、第３の加算器７１０の出力と、第１の電子透かし生成手段７０６の出力を加算した信号をＯＵＴ（ｎ）として出力する第２の加算器７０７を具備する。
【００３４】
次に図８おいて、信号除去装置８０１は、信号付加装置７０１によって付加された雑音信号を除去する装置であって、ＯＵＴ（ｎ）を入力とし、雑音信号を除去して出力する装置である。前記信号除去装置８０１は、ＯＵＴ（ｎ）を所定時間保持する第２の遅延手段８０２と、第２の遅延手段８０２の出力であるＯＵＴ（ｎ−１）から、電子透かし信号として埋め込まれているＫＥＹ（ｎ）を検出する第１の電子透かし読み出し手段８０３と、第２の遅延手段８０２の出力であるＯＵＴ（ｎ−１）から、電子透かし信号として埋め込まれている増幅率を検出する第２の電子透かし読み出し手段８０７と、第１の電子透かし読み出し手段によって読み出されたＫＥＹ（ｎ）と、第２の鍵情報を入力とし、雑音信号を発生する第２の雑音信号源８０４と、雑音信号源８０４によって生成された雑音を第２の電子透かし読み出し手段８０７によって検出された増幅率にしたがって増幅し、反転する第２の増幅器８０５と、第２の増幅器８０５の出力と、ＯＵＴ（ｎ）を加算して出力する第３の加算器８０６を具備する。
【００３５】
本実施の形態では、増幅率を電子透かしとして付加しておくことにより、入力コンテンツの音圧レベルにしたがって、付加する前記雑音信号の音圧レベルを可変することが可能となる。
【００３６】
また、実施の形態２と同様に第３の加算器８０６の出力信号は、ＩＮ（ｎ）に第１の電子透かし生成手段７０６によって生成された電子透かし信号と、第２の電子透かし生成手段７０９によって生成された電子透かし信号が加算された信号となるが、第１の電子透かし生成手段７０６において生成される電子透かしの振幅レベル、および第２の電子透かし生成手段７０９によって生成された電子透かし信号の振幅レベルが人間の聴覚にほとんど聞こえないほど小さなレベルであれば、第３の加算器８０６から出力される信号はＩＮ（ｎ）＋微小信号となり、雑音信号が除去された信号と等価となる。
【００３７】
【発明の効果】
本発明に係る信号付加装置、および信号除去装置により、雑音信号による著作権保護が可能となり、ユーザーは第２の鍵情報を購入する前に試聴可能であり、コンテンツプロバイダは、高音質コンテンツを違法コピーから保護することが可能となる。
【００３８】
また、入力される音楽信号に従って、付加する雑音の音圧レベルを可変することが可能となり、音楽コンテンツサビの部分だけ付加する雑音の音圧レベルを小さく、サビ以外の部分では付加する雑音信号の音圧レベルを大きくすることにより、ユーザーに音楽コンテンツのサビの部分だけ高音質で聴かせるなど、音質の制御をした上で効率よく試聴させるなど、プロモーションと著作権の保護を両立させることが可能となる。
【図面の簡単な説明】
【図１】本発明の実施の形態１による信号付加装置を示すブロック図
【図２】本発明の実施の形態１による信号除去装置を示すブロック図
【図３】本発明の実施の形態２による信号付加装置を示すブロック図
【図４】本発明の実施の形態２による信号除去装置を示すブロック図
【図５】本発明の実施の形態３による信号付加装置を示すブロック図
【図６】本発明の実施の形態３による信号除去装置を示すブロック図
【図７】本発明の実施の形態４による信号付加装置を示すブロック図
【図８】本発明の実施の形態４による信号除去装置を示すブロック図
【図９】本発明の実施の形態による入力信号および出力信号を示す図
【図１０】従来の電子配信を示すブロック図
【符号の説明】
１０１  信号付加装置
１０２  遅延手段
１０３  特徴量抽出手段
１０４  第１の雑音信号源
１０５  第１の増幅器
１０６  加算器
２０１  信号除去装置
２０２  遅延手段
２０３  特徴量抽出手段
２０４  雑音信号源
２０５  増幅器
２０６  第２の加算器
３０１  信号付加装置
３０２  第１の遅延手段
３０３  第１の特徴量抽出手段
３０４  第１の雑音信号源
３０５  増幅率計算手段
３０６  第１の増幅器
３０７  第１の加算器
３０８  電子透かし生成手段
３０９  第２の加算器
４０１  信号除去装置
４０２  第２の遅延手段
４０３  第２の特徴量抽出手段
４０４  第２の雑音信号源
４０５  第１の増幅器
４０６  第３の加算器
４０７  電子透かし読み出し手段
５０１  信号付加装置
５０２  パラメータ生成手段
５０３  第１の雑音信号源
５０４  第１の増幅器
５０５  第１の加算器
５０６  電子透かし生成手段
５０７  第２の加算器
６０１  信号除去装置
６０２  第２の遅延手段
６０３  電子透かし読み出し手段
６０４  第２の雑音信号源
６０５  第２の増幅器
６０６  第３の加算器
７０１  信号付加装置
７０２  パラメータ生成手段
７０３  第１の雑音信号源
７０４  第１の増幅器
７０５  第１の加算器
７０６  第１の電子透かし生成手段
７０７  第２の加算器
７０８  増幅率計算手段
７０９  第２の電子透かし生成手段
７１０  第３の加算器
８０２  第２の遅延手段
８０３  第１の電子透かし読み出し手段
８０４  第２の雑音信号源
８０５  第２の増幅器
８０６  第３の加算器
８０７  第２の電子透かし読み出し手段
９０１  入力信号
９０２  出力信号
１００１  暗号化装置
１００２  暗号化手段
１００３  暗号解除装置
１００４  暗号解除手段
【図１】
2004151512.tif 000003
【図２】
2004151512.tif 000004
【図３】
2004151512.tif 000005
【図４】
2004151512.tif 000006
【図５】
2004151512.tif 000007
【図６】
2004151512.tif 000008
【図７】
2004151512.tif 000009
【図８】
2004151512.tif 000010
【図９】
2004151512.tif 000011
【図１０】
2004151512.tif 000012